(57)【要約】  本発明の実施例は、データ伝送方法、端末デバイス及びネットワーク側デバイスを提供する。当該方法は、端末デバイスが第１タイミングアドバンスＴＡ値の再利用の事前設定条件を満たしていると確定することと、当該第１ＴＡ値に基づいてデータ伝送を行うこととを含み、ここで、当該第１ＴＡ値は、当該端末デバイスが前回のデータ伝送に使用したものである。本発明の実施例におけるデータ伝送方法、端末デバイス及びネットワーク側デバイスは、遅延を低減させ、システムのシグナリングオーバーヘッドを減少させることができる。
2019531009.tif 000002
【特許請求の範囲】
【請求項１】
データ伝送方法であって、
端末デバイスが第１タイミングアドバンスＴＡ値の再利用の事前設定条件を満たしていると確定することと、
前記第１ＴＡ値に基づいてデータ伝送を行うこととを含み、
ここで、前記第１ＴＡ値は、前記端末デバイスが前回のデータ伝送に使用したものである
ことを特徴とするデータ伝送方法。
【請求項２】
前記端末デバイスが第１タイミングアドバンスＴＡ値の再利用の事前設定条件を満たしていると確定することは、
前記端末デバイスの現在位置と前記端末デバイスのデータ伝送の前回位置との間の距離が距離閾値の以下であると確定することを含む
ことを特徴とする請求項１に記載のデータ伝送方法。
【請求項３】
ネットワーク側デバイスにより送信された前記距離閾値を受信することをさらに含む
ことを特徴とする請求項２に記載のデータ伝送方法。
【請求項４】
前記端末デバイスが第１タイミングアドバンスＴＡ値の再利用の事前設定条件を満たしていると確定することは、
前記端末デバイスの信号電力値が信号電力の下限閾値より大きく、信号電力の上限閾値により小さいと確定することを含み、
ここで、前記信号電力の上限閾値が前記信号電力の下限閾値より大きい
ことを特徴とする請求項１に記載のデータ伝送方法。
【請求項５】
ネットワーク側デバイスにより送信された前記信号電力の上限閾値及び前記信号電力の下限閾値を受信することをさらに含む
ことを特徴とする請求項４に記載のデータ伝送方法。
【請求項６】
前記端末デバイスが第１タイミングアドバンスＴＡ値の再利用の事前設定条件を満たしていると確定することは、さらに、
所定の時間帯において、前記端末デバイスの信号電力値が信号電力の下限閾値より大きく、信号電力の上限閾値により小さいと確定することを含み、
ここで、前記信号電力の上限閾値が前記信号電力の下限閾値より大きい
ことを特徴とする請求項４又は５に記載のデータ伝送方法。
【請求項７】
前記ネットワーク側デバイスにより送信された指示情報を受信することをさらに含み、
前記指示情報は、前記所定の時間帯を示すために用いられる
ことを特徴とする請求項６に記載のデータ伝送方法。
【請求項８】
前記ネットワーク側デバイスにより送信された前記距離閾値を受信することは、
前記ネットワーク側デバイスがブロードキャストメッセージ又はシグナリングにより送信した前記距離閾値を受信することを含む
ことを特徴とする請求項３に記載のデータ伝送方法。
【請求項９】
前記ネットワーク側デバイスにより送信された前記信号電力の上限閾値及び前記信号電力の下限閾値を受信することは、
前記ネットワーク側デバイスがブロードキャストメッセージ又はシグナリングにより送信した前記信号電力の上限閾値及び前記信号電力の下限閾値を受信することを含む
ことを特徴とする請求項５〜７のいずれか１項に記載のデータ伝送方法。
【請求項１０】
データ伝送方法であって、
端末デバイスが第１タイミングアドバンスＴＡ値の再利用の事前設定条件を満たしていると確定する時に前記第１ＴＡ値に基づいて伝送するデータを受信することを含み、
ここで、前記第１ＴＡ値は、前記端末デバイスが前回のデータ伝送に使用したものである
ことを特徴とするデータ伝送方法。
【請求項１１】
前記端末デバイスが第１タイミングアドバンスＴＡ値の再利用の事前設定条件を満たしていると確定する時に前記第１ＴＡ値に基づいて伝送するデータを受信する前に、前記データ伝送方法は、さらに、
前記端末デバイスに距離閾値を送信することをさらに含み、
前記端末デバイスが第１タイミングアドバンスＴＡ値の再利用の事前設定条件を満たしていると確定する時に前記第１ＴＡ値に基づいて伝送するデータを受信することは、
前記端末デバイスが前記端末デバイスの現在位置と前記端末デバイスのデータ伝送の前回位置との間の距離が前記距離閾値の以下であると確定する時に前記第１ＴＡ値に基づいて伝送るデータを受信することを含む
ことを特徴とする請求項１０に記載のデータ伝送方法。
【請求項１２】
前記端末デバイスに距離閾値を送信することは、
ブロードキャストメッセージ又はシグナリングにより前記端末デバイスに前記距離閾値を送信することを含む
ことを特徴とする請求項１１に記載のデータ伝送方法。
【請求項１３】
前記端末デバイスが第１タイミングアドバンスＴＡ値の再利用の事前設定条件を満たしていると確定する時に前記第１ＴＡ値に基づいて伝送するデータを受信する前に、前記データ伝送方法は、さらに、
前記端末デバイスに信号電力の上限閾値及び信号電力の下限閾値を送信することをさらに含み、
前記信号電力の上限閾値が前記信号電力の下限閾値より大きく、
前記端末デバイスが第１タイミングアドバンスＴＡ値の再利用の事前設定条件を満たしていると確定する時に前記第１ＴＡ値に基づいて伝送するデータを受信することは、
前記端末デバイスが前記端末デバイスの信号電力値が信号電力の下限閾値より大きく、信号電力の上限閾値により小さいと確定する時に前記第１ＴＡ値に基づいて伝送するデータを受信することを含む
ことを特徴とする請求項１０に記載のデータ伝送方法。
【請求項１４】
前記データ伝送方法は、前記端末デバイスに指示情報を送信することをさらに含み、
前記指示情報は、所定の時間帯を示すために用いられ、
前記受信端末デバイスが前記端末デバイスの位置変化情報が事前設定条件を満たしていると確定する時に第１タイミングアドバンスＴＡ値に基づいて伝送するデータを受信することは、
前記端末デバイスが前記所定の時間帯において、信号電力値が信号電力の下限閾値より大きく、信号電力の上限閾値により小さいと確定する時に前記第１ＴＡ値に基づいて伝送するデータを受信することを含む
ことを特徴とする請求項１３に記載のデータ伝送方法。
【請求項１５】
前記端末デバイスに信号電力の上限閾値及び信号電力の下限閾値を送信することは、
ブロードキャストメッセージ又はシグナリングにより前記端末デバイスに前記信号電力の上限閾値及び前記信号電力の下限閾値を送信することを含む
ことを特徴とする請求項１３又は１４に記載のデータ伝送方法。
【請求項１６】
端末デバイスであって、
端末デバイスが第１タイミングアドバンスＴＡ値の再利用の事前設定条件を満たしていると確定するように構成される確定モジュールと、
前記第１ＴＡ値に基づいてデータ伝送を行うように構成される伝送モジュールとを含み、
ここで、前記第１ＴＡ値は、前記端末デバイスが前回のデータ伝送に使用したものである
ことを特徴とする端末デバイス。
【請求項１７】
前記確定モジュールは、具体的に、前記端末デバイスの現在位置と前記端末デバイスのデータ伝送の前回位置との間の距離が距離閾値の以下であると確定するように構成される
ことを特徴とする請求項１６に記載の端末デバイス。
【請求項１８】
前記端末デバイスは、さらに、第１受信モジュールを含み、
前記第１受信モジュールは、ネットワーク側デバイスにより送信された前記距離閾値を受信するように構成される
ことを特徴とする請求項１７に記載の端末デバイス。
【請求項１９】
前記確定モジュールは、具体的に、前記端末デバイスの参照信号受信電力の信号電力値が信号電力の下限閾値より大きく、信号電力の上限閾値より小さいと確定するように構成され、
ここで、前記信号電力の上限閾値が前記信号電力の下限閾値より大きい
ことを特徴とする請求項１６に記載の端末デバイス。
【請求項２０】
前記端末デバイスは、さらに、第２受信モジュールを含み、
前記第２受信モジュールは、ネットワーク側デバイスにより送信された前記信号電力の上限閾値及び前記信号電力の下限閾値を受信するように構成される
ことを特徴とする請求項１９に記載の端末デバイス。
【請求項２１】
前記確定モジュールは、具体的に、所定の時間帯において、前記端末デバイスの信号電力値が信号電力の下限閾値より大きく、信号電力の上限閾値により小さいと確定するように構成され、
ここで、前記信号電力の上限閾値が前記信号電力の下限閾値より大きい
ことを特徴とする請求項１９又は２０に記載の端末デバイス。
【請求項２２】
前記端末デバイスは、さらに、第３受信モジュールを含み、
前記第３受信モジュールは、前記ネットワーク側デバイスにより送信された指示情報を受信するように構成され、
前記指示情報は、前記所定の時間帯を示すために用いられる
ことを特徴とする請求項２１に記載の端末デバイス。
【請求項２３】
前記第１受信モジュールは、具体的に、前記ネットワーク側デバイスがブロードキャストメッセージ又はシグナリングにより送信した前記距離閾値を受信するように構成される
ことを特徴とする請求項１８に記載の端末デバイス。
【請求項２４】
前記第２受信モジュールは、具体的に、前記ネットワーク側デバイスがブロードキャストメッセージ又はシグナリングにより送信した前記信号電力の上限閾値及び前記信号電力の下限閾値を受信するように構成される
ことを特徴とする請求項２０〜２２のいずれか１項に記載の端末デバイス。
【請求項２５】
ネットワーク側デバイスであって、
端末デバイスが第１タイミングアドバンスＴＡ値の再利用の事前設定条件を満たしていると確定する時に前記第１ＴＡ値に基づいて伝送するデータを受信するように構成される受信モジュールを含み、
ここで、前記第１ＴＡ値は、前記端末デバイスが前回のデータ伝送に使用したものである
ことを特徴とするネットワーク側デバイス。
【請求項２６】
前記ネットワーク側デバイスは、さらに、第１送信モジュールを含み、
前記第１送信モジュールは、前記端末デバイスに距離閾値を送信するように構成され、
前記受信モジュールは、具体的に、前記端末デバイスが前記端末デバイスの現在位置と前記端末デバイスのデータ伝送の前回位置との間の距離が前記第１送信モジュールからの前記距離閾値の以下であると確定する時に前記第１ＴＡ値に基づいて伝送するデータを受信するように構成される
ことを特徴とする請求項２５に記載のネットワーク側デバイス。
【請求項２７】
前記第１送信モジュールは、具体的に、ブロードキャストメッセージ又はシグナリングにより前記端末デバイスに前記距離閾値を送信するように構成される
ことを特徴とする請求項２６に記載のネットワーク側デバイス。
【請求項２８】
前記ネットワーク側デバイスは、さらに、第２送信モジュールを含み、
前記第２送信モジュールは、前記端末デバイスに参照信号受信電力の信号電力の上限閾値及び信号電力の下限閾値を送信するように構成され、前記信号電力の上限閾値が前記信号電力の下限閾値より大きく、
前記受信モジュールは、具体的に、前記端末デバイスが前記端末デバイスの信号電力値が前記第２送信モジュールからの前記信号電力の下限閾値より大きく、前記第２送信モジュールからの前記信号電力の上限閾値より小さいと確定する時に前記第１ＴＡ値に基づいて伝送するデータを受信するように構成される
ことを特徴とする請求項２５に記載のネットワーク側デバイス。
【請求項２９】
前記ネットワーク側デバイスは、さらに、第３送信モジュールを含み、
前記第３送信モジュールは、前記端末デバイスに指示情報を送信するように構成され、前記指示情報は、所定の時間帯を示すために用いられ、
前記受信モジュールは、具体的に、前記端末デバイスが前記所定の時間帯において、信号電力値が信号電力の下限閾値より大きく、信号電力の上限閾値により小さいと確定する時に前記第１ＴＡ値に基づいて伝送するデータを受信する
ことを特徴とする請求項２８に記載のネットワーク側デバイス。
【請求項３０】
前記第２送信モジュールは、具体的に、ブロードキャストメッセージ又はシグナリングにより前記端末デバイスに前記信号電力の上限閾値及び前記信号電力の下限閾値を送信するように構成される
ことを特徴とする請求項２８又は２９に記載のネットワーク側デバイス。
【発明の詳細な説明】
【技術分野】
【０００１】
本発明は通信技術分野に関し、具体的に、データ伝送方法、端末デバイス及びネットワーク側デバイスに関する。
【背景技術】
【０００２】
現在、端末デバイスは、データを伝送する場合、タイミングアドバンス(ＴＡ：Ｔｉｍｉｎｇ  ａｄｖａｎｃｅ)値を取得してから、ＴＡ値を使用してデータ伝送を行い又は移動通信システムにアクセスする必要がある。第５世代移動通信技術による５Ｇニューラジオ(ＮＲ：Ｎｅｗ  Ｒａｄｉｏ)モデルシステムにおいて、端末デバイスが小パケット伝送のサポートする大量のサービスを行う必要があり、例えば、モノのインターネット(ＩＯＴ：Ｉｎｔｅｒｎｅｔ  Ｏｆ  Ｔｈｉｎｇｓ)内の端末デバイスである。ここで、小パケット伝送をサポートする当該サービスの特徴について、伝送するパケットが小さく、伝送を毎回完了した後、端末デバイスが基地局との接続(ｃｏｎｎｅｃｔｉｏｎ  ｒｅｌｅａｓｅ)を解放する必要がある。端末デバイスは、次回のデータ伝送を行う場合、ＴＡ値を再度取得してから伝送データを開始する。このように、移動性の弱い端末デバイスに対して、ＴＡ値の再取得の過程により遅延が必ず大きくなり、さらに、システムへのシグナリングオーバーヘッドも増加させる。そして、ある方法によって当該課題を解決する必要がある。
【発明の概要】
【０００３】
本発明の実施例は、遅延を低減させ、シグナリングオーバーヘッドを減少させることができるデータ伝送方法、端末デバイス及びネットワーク側デバイスを提供する。
【０００４】
第１形態は、データ伝送方法を提供し、
端末デバイスが第１タイミングアドバンスＴＡ値の再利用の事前設定条件を満たしていると確定することと、
当該第１ＴＡ値に基づいてデータ伝送を行うこととを含み、
ここで、当該第１ＴＡ値は、当該端末デバイスが前回のデータ伝送に使用したものである。
【０００５】
本発明の実施例において、端末デバイスは、当該端末デバイスが第１ＴＡ値の再利用の事前設定条件を満たしていると確定し、当該第１ＴＡ値に基づいてデータ伝送を行い、ここで、当該第１ＴＡ値は、当該端末デバイスが前回のデータ伝送に使用したものであり、これによって、遅延を低減させ、シグナリングオーバーヘッドを減少させることができる。
【０００６】
選択可能で、第１ＴＡ値の再利用の事前設定条件は、端末デバイスの位置変化情報に関連してもよい。
【０００７】
選択可能で、事前設定条件は、例えば、位置変化情報に対応する地理位置値、移動距離値、又は参照信号受信電力(ＲＳＲＰ：Ｒｅｆｅｒｅｎｃｅ  Ｓｉｇｎａｌ  Ｒｅｃｅｉｖｉｎｇ  Ｐｏｗｅｒ)値などの量化値によって設定されてもよい。
【０００８】
本発明の実施例において、位置変化情報は、端末デバイスが位置変化する場合に位置変化により変化する可能性がある情報を示し、例えば、変化した距離値、変化したＲＳＲＰ値などであり、これらを限定しない。
【０００９】
選択可能で、いくつかの実現可能な形態において、端末デバイスが第１タイミングアドバンスＴＡ値の再利用の事前設定条件を満たしていると確定することは、
当該端末デバイスの現在位置と当該端末デバイスのデータ伝送の前回位置との間の距離が距離閾値の以下であると確定することを含む。
【００１０】
そして、端末デバイスは、当該端末デバイスが第１ＴＡ値の再利用の事前設定条件を満たしていると確定し、当該第１ＴＡ値に基づいてデータ伝送を行い、ここで、当該第１ＴＡ値は、当該端末デバイスが前回のデータ伝送に使用したものであり、これによって、遅延を低減させ、シグナリングオーバーヘッドを減少させることができる。さらに、端末デバイスが満たしている事前設定条件は、端末デバイスの移動距離と距離閾値との関係を比較して確定されてもよい。
【００１１】
選択可能で、本発明の実施例において、「距離閾値の以下である」が「距離閾値より小さい」に変換してもよく、その大小関係が要求に応じて設定され又は調整されてもよく、これを限定しない。
【００１２】
選択可能で、いくつかの実現可能な形態において、当該方法は、さらに、
ネットワーク側デバイスにより送信された当該距離閾値を受信することを含む。
【００１３】
ここで、当該距離閾値は、ネットワーク側デバイスから受信されたのもであっても良いし、プロトコルによって規定されたものであってもよい。
【００１４】
選択可能で、いくつかの実現可能な形態において、ネットワーク側デバイスにより送信された当該距離閾値を受信することは、
ネットワーク側デバイスがブロードキャストメッセージ又はシグナリングにより送信した当該距離閾値を受信することを含む。
【００１５】
本発明の実施例において、端末デバイスは、基地局がブロードキャストメッセージ又は専用シグナリング等により送信した距離閾値を受信してもよく、例えば、専用シグナリングが無線リソース制御(ＲＲＣ：Ｒａｄｉｏ  Ｒｅｓｏｕｒｃｅ  Ｃｏｎｔｒｏｌ)シグナリングであってもよく、これを限定しない。
【００１６】
選択可能で、いくつかの実現可能な形態において、端末デバイスが第１タイミングアドバンスＴＡ値の再利用の事前設定条件を満たしていると確定することは、
当該端末デバイスの信号電力値が信号電力の下限閾値より大きく、信号電力の上限閾値より小さいと確定することを含み、ここで、当該信号電力の上限閾値が当該信号電力の下限閾値より大きい。
【００１７】
選択可能で、いくつかの実現可能な形態において、当該信号電力値が参照信号受信電力ＲＳＲＰ値であっても良く、それに対応する信号電力の上限閾値がＲＳＲＰの上限閾値であり、それに対応する信号電力の下限閾値がＲＳＲＰの下限閾値である。選択可能で、以下の信号電力値も同様である。
【００１８】
本発明の実施例において、ＲＳＲＰ値は、ＬＴＥネットワークにおいて端末デバイスの無線信号強度を示す重要なパラメータであり、端末デバイスにより測定された基地局の信号強度を反映し、端末デバイスの位置変化情報を示すことができる。
【００１９】
そして、端末デバイスは、当該端末デバイスが第１ＴＡ値の再利用の事前設定条件を満たしていると確定し、当該第１ＴＡ値に基づいてデータ伝送を行い、ここで、当該第１ＴＡ値は、当該端末デバイスが前回のデータ伝送に使用したものであり、遅延を低減させ、システムのシグナリングオーバーヘッドを減少させることができる。さらに、端末デバイスが満たしている事前設定条件は、端末デバイスの信号電力値を信号電力の上限閾値と信号電力の下限閾値と比較して決定されてもよい。
【００２０】
選択可能で、いくつかの実現可能な形態において、当該方法は、さらに、
ネットワーク側デバイスにより送信された当該信号電力の上限閾値及び当該信号電力の下限閾値を受信することを含む。
【００２１】
選択可能で、いくつかの実現可能な形態において、ネットワーク側デバイスにより送信された当該信号電力の上限閾値及び当該信号電力の下限閾値を受信するこは、
基地局がブロードキャストメッセージ又はシグナリングにより送信した当該信号電力の上限閾値及び当該信号電力の下限閾値を受信することを含む。
【００２２】
本発明の実施例において、端末デバイスは、基地局がブロードキャストメッセージ又は専用シグナリング等により送信した当該信号電力の上限閾値及び当該信号電力の下限閾値を受信してもよく、これを限定しない。
【００２３】
選択可能で、本発明の実施例において、当該信号電力の上限閾値及び当該信号電力の下限閾値は、端末デバイスとネットワーク側デバイスとがプロトコルにより規定されたものであってもよく、これを限定しない。
【００２４】
選択可能で、いくつかの実現可能な形態において、端末デバイスが第１タイミングアドバンスＴＡ値の再利用の事前設定条件を満たしていると確定することは、
所定の時間帯において、当該端末デバイスの信号電力値が信号電力の下限閾値より大きく、信号電力の上限閾値より小さいと確定することを含み、ここで、当該信号電力の上限閾値が当該信号電力の下限閾値より大きい。
【００２５】
選択可能で、いくつかの実現可能な形態において、当該方法は、さらに、
当該ネットワーク側デバイスにより送信された指示情報を受信することを含み、当該指示情報は、当該所定の時間帯を示すために用いられる。
【００２６】
選択可能で、いくつかの実現可能な形態において、ネットワーク側デバイスは、端末デバイスの所定の時間帯を示すための指示情報を送信しても良いし、ブロードキャストメッセージ又はシグナリングに付加してもよい。
【００２７】
第２形態は、データ伝送方法を提供し、
端末デバイスが第１タイミングアドバンスＴＡ値の再利用の事前設定条件を満たしていると確定する時に当該第１ＴＡ値に基づいて伝送するデータを受信することを含み、ここで、当該第１ＴＡ値は、当該端末デバイスが前回のデータ伝送に使用したものである。
【００２８】
本発明の実施例において、ネットワーク側デバイスは、端末デバイスが第１ＴＡ値に基づいて送信するデータを受信してもよく、当該第１ＴＡ値は、端末デバイスの前回の伝送に使用したものである。さらに、端末デバイスは、それが第１ＴＡ値の再利用の事前設定条件を満たしていると確定した時に、当該第１ＴＡ値を再利用する。このように、ネットワーク側デバイスが端末デバイスのために新しいＴＡ値を再計算する必要がなく、遅延を低減させ、システムのシグナリングオーバーヘッドを減少させることができる。
【００２９】
選択可能で、いくつかの実現可能な形態において、第１ＴＡ値の再利用の事前設定条件は、端末デバイスの位置変化情報に関連してもよい。
【００３０】
選択可能で、いくつかの実現可能な形態において、端末デバイスが第１ＴＡ値の再利用の事前設定条件を満たしていると確定する時に当該第１ＴＡ値に基づいて伝送するデータを受信する前に、当該方法は、さらに、
当該端末デバイスに距離閾値を送信することを含み、
ここで、端末デバイスが第１ＴＡ値の再利用の事前設定条件を満たしていると確定する時に当該第１ＴＡ値に基づいて伝送するデータを受信することは、
当該端末デバイスが当該端末デバイスの現在位置と当該端末デバイスのデータ伝送の前回位置との間の距離が当該距離閾値の以下であると確定する時に当該第１ＴＡ値に基づいて伝送するデータを受信することを含む。
【００３１】
選択可能で、当該端末デバイスに距離閾値を送信することは、
ブロードキャストメッセージ又はシグナリングにより当該端末デバイスに当該距離閾値を送信することを含む。
【００３２】
そして、ネットワーク側デバイスは、端末デバイスが第１ＴＡ値の再利用の事前設定条件を満たしていると確定する時に当該第１ＴＡ値に基づいて伝送するデータを受信することができ、ここで、当該第１ＴＡ値は、当該端末デバイスが前回のデータ伝送に使用したものであり、ネットワーク側デバイスが端末デバイスのために新しいＴＡ値を再計算することを回避し、遅延を低減させ、システムのシグナリングオーバーヘッドを減少させることができる。さらに、ネットワーク側デバイスが端末デバイスに距離閾値を送信して、端末デバイスが距離閾値に基づいてそれが第１ＴＡ値の再利用の事前設定条件を満たしているかどうかを確定する。
【００３３】
選択可能で、いくつかの実現可能な形態において、端末デバイスが第１ＴＡ値の再利用の事前設定条件を満たしていると確定する時に当該第１ＴＡ値に基づいて伝送するデータを受信する前に、当該方法は、さらに、
当該端末デバイスに信号電力の上限閾値及び信号電力の下限閾値を送信することを含み、ここで、当該信号電力の上限閾値が当該信号電力の下限閾値より大きく、
ここで、端末デバイスが第１ＴＡ値の再利用の事前設定条件を満たしていると確定する時に当該第１ＴＡ値に基づいて伝送するデータを受信することは、
当該端末デバイスが当該端末デバイスの参照信号受信電力の信号電力値が信号電力の下限閾値より大きく、信号電力の上限閾値より小さいと確定する時に当該第１ＴＡ値に基づいて伝送するデータを受信することを含む。
【００３４】
選択可能で、いくつかの実現可能な形態において、信号電力値は、参照信号受信電力ＲＳＲＰ値であってもよい。
【００３５】
選択可能で、いくつかの実現可能な形態において、当該端末デバイスに信号電力の上限閾値及び信号電力の下限閾値を送信することは、
ブロードキャストメッセージ又はシグナリングにより当該端末デバイスに当該信号電力の上限閾値及び当該信号電力の下限閾値を送信することを含む。
【００３６】
選択可能で、いくつかの実現可能な形態において、当該方法は、さらに、
当該端末デバイスに指示情報を送信することを含む、当該指示情報は、所定の時間帯を示すために用いられ、
ここで、当該端末デバイスが第１ＴＡ値の再利用の事前設定条件を満たしていると確定する時に当該第１ＴＡ値に基づいて伝送するデータを受信することは、
当該端末デバイスが当該所定の時間帯において、当該端末デバイスの信号電力値が信号電力の下限閾値より大きく、信号電力の上限閾値より小さいと確定する時に当該第１ＴＡ値に基づいて伝送するデータを受信することを含む。
【００３７】
選択可能で、具体的に実施する場合、当該所定の時間帯は、ネットワーク側デバイスが端末デバイスに設定されたタイマーと理解されてもよく、例えば、端末デバイスは、数分間において、測定された基地局の信号強度がある範囲に入る場合に第１ＴＡ値を再利用することができる。
【００３８】
そして、ネットワーク側デバイスは、端末デバイスが第１ＴＡ値の再利用の事前設定条件を満たしていると確定する時に当該第１ＴＡ値に基づいて伝送するデータを受信することができ、ここで、当該第１ＴＡ値は、当該端末デバイスが前回のデータ伝送に使用したものであり、ネットワーク側デバイスが端末デバイスのために新しいＴＡ値を再計算することを回避し、遅延を低減させ、システムのシグナリングオーバーヘッドを減少させることができる。さらに、ネットワーク側デバイスが端末デバイスに信号電力の上下限閾値を送信して、端末デバイスが信号電力の上下限閾値に基づいて第１ＴＡ値の再利用の事前設定条件を満たしているかどうかを確定する。
【００３９】
第３形態は、上記の第１形態又は第１形態のいかなる実現可能な形態の方法を実行するように構成される端末デバイスを提供する。具体的に、当該端末デバイスは、上記の第１形態又は第１形態のいかなる実現可能な形態の方法を実行するように構成されるユニットを含む。
【００４０】
第４形態は、上記の第２形態又は第２形態のいかなる実現可能な形態の方法を実行するように構成されるネットワーク側デバイスを提供する。具体的に、当該ネットワーク側デバイスは、上記の第２形態又は第２形態のいかなる実現可能な形態の方法を実行するように構成されるユニットを含む。
【００４１】
第５形態は、端末デバイスを提供し、当該端末デバイスは、メモリー、プロセッサ、及び通信インターフェースを含む。メモリーとプロセッサが通信インターフェースにより接続され、当該メモリーが命令を記憶し、当該プロセッサが当該メモリーに記憶された命令を実行し、通信インターフェースがプロセッサ制御により他のネットワーク要素と通信する。当該命令が実行される場合、当該プロセッサは、第１形態又は第１形態のいかなる実現可能な形態の方法を実行する。
【００４２】
第６形態は、ネットワーク側デバイスを提供し、当該ネットワーク側デバイスは、メモリー、プロセッサ、及び通信インターフェースを含む。メモリーとプロセッサが通信インターフェースにより接続され、当該メモリーが命令を記憶し、当該プロセッサが当該メモリーに記憶された命令を実行し、通信インターフェースがプロセッサ制御により他のネットワーク要素と通信する。当該命令が実行される場合、当該プロセッサは、第２形態又は第２形態のいかなる実現可能な形態の方法を実行する。
【００４３】
第７形態は、コンピュータ可読記憶媒体を提供し、前記コンピュータ可読記憶媒体にはプログラムが記憶され、前記プログラムには第１形態又は第１形態のいかなる実現可能なの方法を実現するための命令が含まれる。
【００４４】
第８形態は、コンピュータ可読記憶媒体を提供し、前記コンピュータ可読記憶媒体にはプログラムが記憶され、前記プログラムには第２形態又は第２形態のいかなる実現可能なの方法を実現するための命令が含まれる。
【図面の簡単な説明】
【００４５】
本開示の上記および他の特徴およびメリットは、添付の図面を参照して詳細に説明する例示的な実施形態により、より明らかになる。なお、以下の記載における図面はただ本発明の一部の実施例に過ぎず、当業者の場合、創造的な労働を付与しない前提で、これらの図面によって他の図面を得ることができる。
【図１】１つの応用シーンを示す模式図である。
【図２】本発明の実施例によるデータ伝送方法のフローチャートである。
【図３】本発明の他の実施例によるデータ伝送方法のフローチャートである。
【図４】本発明の実施例による端末デバイスのブロック図である。
【図５】本発明の実施例による端末デバイスの構成のブロック図である。
【図６】本発明の実施例によるシステムチップの構成図である。
【図７】本発明の実施例によるネットワーク側デバイスのブロック図である。
【図８】本発明の実施例によるネットワーク側デバイスの構成のブロック図である。
【図９】本発明の実施例によるシステムチップの構成図である。
【発明を実施するための形態】
【００４６】
本発明の実施例の技術的な解決策をより明確に説明するため、以下に実施例又は従来技術の記述において必要な図面を簡単に説明するが、明らかに、以下に記載する図面は本発明のいくつかの実施例だけであり、当業者であれば、創造的な労力を要することなく、これらの図面に基づいて他の図面を得ることができる。
【００４７】
なお、本発明の実施例における技術的解決策は様々な通信システム、例えばグローバル移動体通信（ＧＳＭ：Ｇｌｏｂａｌ  Ｓｙｓｔｅｍ  ｏｆ  Ｍｏｂｉｌｅ  Ｃｏｍｍｕｎｉｃａｔｉｏｎ）システム、符号分割多元接続（ＣＤＭＡ：Ｃｏｄｅ  Ｄｉｖｉｓｉｏｎ  Ｍｕｌｔｉｐｌｅ  Ａｃｃｅｓｓ）システム、広帯域符号分割多元接続（ＷＣＤＭＡ：Ｗｉｄｅｂａｎｄ  Ｃｏｄｅ  Ｄｉｖｉｓｉｏｎ  Ｍｕｌｔｉｐｌｅ  Ａｃｃｅｓｓ）汎用パケット無線サービス（ＧＰＲＳ：Ｇｅｎｅｒａ１  Ｐａｃｋｅｔ  Ｒａｄｉｏ  Ｓｅｒｖｉｃｅ）システム、長期進化型（ＬＴＥ：Ｌｏｎｇ  Ｔｅｒｍ  Ｅｖｏｌｕｔｉｏｎ）システム、ＬＴＥ周波数分割複信（ＦＤＤ：Ｆｒｅｑｕｅｎｃｙ  Ｄｉｖｉｓｉｏｎ  Ｄｕｐｌｅｘ）システム、ＬＴＥ時分割複信（ＴＤＤ：Ｔｉｍｅ  Ｄｉｖｉｓｉｏｎ  Ｄｕｐｌｅｘ）システム、ユニバーサル移動通信システム（ＵＭＴＳ：Ｕｎｉｖｅｒｓａｌ  Ｍｏｂｉｌｅ  Ｔｅｌｅｃｏｍｍｕｎｉｃａｔｉｏｎ  Ｓｙｓｔｅｍ）等の従来の通信システム、特に、将来の５Ｇ通信システム又は５Ｇニューラジオ(ＮＲ：Ｎｅｗ  Ｒａｄｉｏ)モデルシステムに応用されることができる。
【００４８】
なお、本発明の実施例におけるネットワーク側デバイスはネットワーク側デバイスや基地局と言われてもよく、例えばＧＳＭシステム又はＣＤＭＡにおける基地局（ＢＴＳ：Ｂａｓｅ  Ｔｒａｎｓｃｅｉｖｅｒ  Ｓｔａｔｉｏｎ）、ＷＣＤＭＡシステムにおける基地局（ＮＢ：ＮｏｄｅＢ）、ＬＴＥシステムにおける進化型基地局（ｅＮＢ又はｅＮｏｄｅＢ：Ｅｖｏｌｕｔｉｏｎａｌ  ＮｏｄｅＢ）であってよく、又は将来の５Ｇネットワークにおける基地局デバイスなどであっても良く、本発明がこれを限定しない。
【００４９】
なお、本発明の実施例における端末デバイスは、無線アクセスネットワーク(ＲＡＮ：Ｒａｄｉｏ  Ａｃｃｅｓｓ  Ｎｅｔｗｏｒｋ)を介して１つ以上のコアネットワーク(ＣＮ：Ｃｏｒｅ  Ｎｅｔｗｏｒｋ)と通信することができ、端末デバイスは、アクセス端末、ユーザデバイス（ＵＥ：Ｕｓｅｒ  Ｅｑｕｉｐｍｅｎｔ）、アクセス端末、ユーザユニット、ユーザステーション、移動ステーション、移動局、遠隔局、遠隔端末、移動デバイス、ユーザ端末、端末、無線通信デバイス、ユーザエージェント又はユーザ装置と指しても良い。アクセス端末はセルラー電話、無線電話、セッション確立プロトコル（ＳＩＰ：Ｓｅｓｓｉｏｎ  Ｉｎｉｔｉａｔｉｏｎ  Ｐｒｏｔｏｃｏｌ）電話、ワイヤレス・ローカル・ループ（ＷＬＬ：Ｗｉｒｅｌｅｓｓ  Ｌｏｃａｌ  Ｌｏｏｐ）ステーション、パーソナルデジタル処理（ＰＤＡ：Ｐｅｒｓｏｎａｌ  Ｄｉｇｉｔａｌ  Ａｓｓｉｓｔａｎｔ）、無線通信機能を有する携帯デバイス、計算デバイス又は無線変調復調器に接続するその他のデバイス、車載デバイス、ウェアラブルデバイス、および将来の５Ｇネットワークにおける端末デバイスなどであっても良い。
【００５０】
図１は応用シーンの模式図である。なお、理解しやすくなるために、ここで図１の応用シーンを例として説明するが、本発明はこれに限定しない。図１に端末デバイス１１、端末デバイス１２、端末デバイス１３及び基地局２１を示す。
【００５１】
図１に示すように、端末デバイス１１が基地局２１と通信し、端末デバイス１２が基地局２１と通信し、端末デバイス１３が基地局２１と通信することができる。また、端末デバイス１２が端末デバイス１１と通信することができる。また、他の形態として、端末デバイス１３が基地局１２と通信する。端末デバイスは、移動通信システムにアクセスし又はデータ伝送を行う時に、タイミングアドバンス(ＴＡ：Ｔｉｍｉｎｇ  Ａｄｖａｎｃｅ)を取得する必要がある。ここで、当該ＴＡ値が端末デバイスと基地局との距離を示し、又は、ＴＡ値を導入してアップリンク同期を行ってからアップリンクデータを送信する。
【００５２】
ＴＡ値の取得過程について、端末デバイスが１つの既知のシーケンス、例えば、非競合アクセスシーン又は競合アクセスシーン内のランダムアクセスプリアンブル(ｒａｎｄｏｍ  ａｃｃｅｓｓ  ｐｒｅａｍｂｌｅ)を基地局に送信し、基地局が当該既知のシーケンスに基づいてＴＡ値を算出し、当該ＴＡ値を端末デバイスに送信し、ここで、当該ＴＡ値は、基地局から端末デバイスに送信するランダムアクセス応答メッセージ(ＲＡＲ：Ｒａｎｄｏｍ  Ａｃｃｅｓｓ  Ｒｅｓｐｏｎｓｅ)に付加されてもよい。例えば、端末デバイスが基地局からのＲＡＲメッセージを受信し、当該ＲＡＲメッセージにはＴＡ値が含まれる。選択可能で、当該ＲＡＲメッセージには、アップリンクグラント(ＵＬ  ｇｒａｎｔ)がさらに含まれてもよく、ここで、当該アップリンクグラントは、アップリンク伝送リソースを示し、当該端末デバイスがアップリンクデータを示し、セル一時識別子(Ｔｅｍｐｏｒａｒｙ  Ｃ−ＲＮＴＩ、ＴＣ−ＲＮＴＩ)情報を送信するために用いられ、セル内で端末デバイスを識別するために用いられる。
【００５３】
しかし、従来の技術において、端末デバイスの位置変化範囲が小さい場合でも、データ伝送を行う時にＴＡ値を計算する必要もあり、「ＴＡ値の取得過程」を再度実行してから取得されたＴＡ値に基づいてデータ伝送を開始し、このように、一定の遅延が発生する。また、上記の「ＴＡ値の取得過程」を再度実行するため、システムのシグナリングオーバーヘッドも増加させる。これに対し、本願の端末デバイス又はネットワーク側デバイスは、端末デバイスがある条件を満たしている場合に前回のデータ伝送に使用するＴＡ値を再利用してデータ伝送を行うように試し、遅延の低減及びシグナリングオーバーヘッドの減少という目的を実現する。
【００５４】
図２は本発明の実施例によるデータ伝送方法２００のフローチャートである。当該方法２００は、端末デバイスにより実行されてもよく、例えば、当該端末デバイスが図１の端末デバイス１１、端末デバイス１２又は端末デバイス１３である。図２に示すように、当該方法２００は、Ｓ２１０及びＳ２２０を含む、
Ｓ２１０において、端末デバイスが第１タイミングアドバンスＴＡ値の再利用の事前設定条件を満たしていると確定する。
【００５５】
選択可能で、事前設定条件は、端末デバイス位置変化情報に対応する、例えば地理位置値、移動距離値、又は参照信号受信電力(ＲＳＲＰ：Ｒｅｆｅｒｅｎｃｅ  Ｓｉｇｎａｌ  Ｒｅｃｅｉｖｉｎｇ  Ｐｏｗｅｒ)値等の量化値により設定されてもよく、これを限定しない。
【００５６】
例えば、選択可能で、プロトコルによりＲＳＲＰ閾値が規定されてもよく、端末デバイスのＲＳＲＰ値が当該ＲＳＲＰ閾値の以内にある場合、端末デバイスがその位置変化情報が事前設定条件を満たしていると確定する。選択可能で、ＲＳＲＰ閾値は、基地局により端末デバイスに指示したものであってもよい。
【００５７】
なお、本発明の実施例において、位置変化情報は、端末デバイスが位置変化する場合に位置変化により変化する可能性がある情報を示し、例えば、変化した距離値、変化したＲＳＲＰ値などであり、これを限定しない。
【００５８】
Ｓ２２０において、当該第１ＴＡ値に基づいてデータ伝送を行い、ここで、当該第１ＴＡ値は、当該端末デバイスが前回のデータ伝送に使用したものである。
【００５９】
具体的に、端末デバイスは、第１ＴＡ値の再利用の事前設定条件(例えば、位置変化情報)を満たしていると確定する場合、当該第１ＴＡ値に基づいてデータ伝送を行い、さらに、当該第１ＴＡ値は、端末デバイスが前回のデータ伝送に使用したＴＡ値である。このように、端末デバイスは、ネットワーク側デバイスへの既知のシーケンスの送信過程を省略し、前回のデータ伝送のＴＡ値を直接使用し、ネットワーク側デバイスによりＴＡ値の再計算することを回避し、遅延を低減させ、シグナリングオーバーヘッドを減少させることができる。
【００６０】
つまり、端末デバイスは、それが第１ＴＡ値の再利用の事前設定条件を満たしていると確定する場合に、前回の伝送のＴＡ値を直接使用することができる。例えば、端末デバイスは、基地局との前回の接続確立においてＴＡ値を取得してからデータ伝送を完了し、基地局との接続を開放した。端末デバイスは、次回に、システムアクセス又はデータ伝送を行う時に、その位置変化情報が事前設定条件を満たしている場合、ランダムアクセスプリアンブル(ｐｒｅａｍｂｌｅ)の送信過程を省略し、前回に取得されたＴＡ値を直接使用してシステムアクセス又は送信データを行い、ここで、データ送信に使用するリソースは、基地局により事前スケジューリング(ｐｒｅ−ｓｃｈｅｄｕｌｉｎｇ)されたアップリンクグラント(ＵＬ  ｇｒａｎｔ)リソース、又は競合に基づいて(ｃｏｎｔｅｎｔｉｏｎ  ｂａｓｅｄ)ランダムアクセスする際の基地局からのアップリンクグラントリソースであってもよい。
【００６１】
選択可能で、第１ＴＡ値は、端末デバイスが電源入れて初期アクセスする際に取得したものであってもよく、例えば、セルアタッチ(ａｔｔａｃｈ)する時に端末デバイスが第１ＴＡ値を取得する。
【００６２】
選択可能で、端末デバイスは、基地局と接続を確立した後、データ送信を行う時に、基地局からの指示によってＴＡ値を変更して第１ＴＡ値を取得してもよい。
【００６３】
選択可能で、第１ＴＡ値は、端末デバイスがセル切り換え(即ち、セルハンドオーバー)を行う時に取得したのもであってもよい。例えば、端末デバイスは、ターゲットセルに切り替えてから、ターゲットセルの新しいＴＡ値、例えば第１ＴＡ値を取得する。
【００６４】
なお、本発明の実施例において、端末デバイスの第１ＴＡ値は、多く種の方式によって取得することができ、以上は例を挙げて説明するが、本発明はこれに限定しない。
【００６５】
なお、本発明の実施例において、端末デバイスがどのような方式で第１ＴＡ値を取得するにもかかわらず、端末デバイスの位置変化情報が事前設定条件を満たしている場合に当該第１ＴＡ値を再利用することができる。つまり、本発明は、第１ＴＡ値の取得する方を限定しない。
【００６６】
本発明の実施例において、端末デバイスは、当該端末デバイスが第１ＴＡ値の再利用の事前設定条件を満たしていると確定し、第１ＴＡ値に基づいてデータ伝送を行い、ここで、当該第１ＴＡ値は、当該端末デバイスが前回のデータ伝送に使用したものであり、これによって、遅延を低減させ、シグナリングオーバーヘッドを減少させることができる。
【００６７】
なお、記載しやすくなるため、「第１ＴＡ値」に「第１」を使用するが、本発明を限定するものでない。
【００６８】
選択可能で、１つの実施例として、Ｓ２１０は、
当該端末デバイスの現在位置と当該端末デバイスのデータ伝送の前回位置との間の距離が距離閾値の以下であると確定する。
【００６９】
具体的に、端末デバイスが、位置変化情報の事前設定条件を満たしていると確定することは、端末デバイスが、その現在位置とその前回にデータ伝送を行う位置との間の距離が距離閾値の以下であると確定することである。この事前設定条件を満たしている場合に、端末デバイスは、データ伝送の前回のＴＡ値を利用してデータ伝送を行うことができる。
【００７０】
例えば、端末デバイスは、位置Ａで第１ＴＡ値を取得してから位置Ｂに移動した。ＢからＡまでの距離がある事前設定閾値より小さい場合、端末デバイスが当該第１ＴＡ値を再度利用することができる。
【００７１】
なお、本発明の実施例において、「距離閾値の以下である」が「距離閾値より小さい」に変換してもよく、その大小関係が要求に応じて設定され又は調整されてもよく、これを限定しない。
【００７２】
なお、選択可能で、当該距離閾値は、端末デバイスの移動距離に対応する距離閾値に限定しなく、端末デバイスの移動後の所在の位置に対応する距離の距離閾値を示してもよい。例えば、端末デバイスの現在位置Ｂに対応する距離がｋであり、距離閾値がｎであり、ｋがｎより小さい場合、端末デバイスがその位置変化情報が事前設定条件を満たしていると確定する。
【００７３】
選択可能で、１つの実施例として、当該方法２００は、さらに、
ネットワーク側デバイスにより送信された当該距離閾値を受信することを含む。
【００７４】
具体的に、端末デバイスは、ネットワーク側デバイスにより送信された当該距離閾値又は距離の限界値を受信することができる。そして、端末デバイスは、当該距離閾値に基づいて移動距離が事前設定条件を満たしていると確定する時に、第１ＴＡ値に基づいてデータ伝送を行う。
【００７５】
選択可能で、端末デバイスは、ネットワーク側デバイスとの接続を確立した後、ネットワーク側デバイスに自分の地理位置情報を報告することができる。ネットワーク側デバイスが端末デバイスに地理位置情報範囲(例えば距離閾値)を配置することで、端末デバイスの地理位置情報が地理位置情報範囲を満たしている場合に、ＴＡ値を再利用することができる。
【００７６】
選択可能で、ネットワーク側デバイスにより送信された当該距離閾値を受信することは、
ネットワーク側デバイスがブロードキャストメッセージ又はシグナリングにより送信した当該距離閾値を受信することを含む。
【００７７】
本発明の実施例において、端末デバイスは、ネットワーク側デバイスがブロードキャストメッセージ又は専用シグナリングなどにより送信した距離閾値を受信することができ、例えば、専用シグナリングは、無線リソース制御(ＲＲＣ：Ｒａｄｉｏ  Ｒｅｓｏｕｒｃｅ  Ｃｏｎｔｒｏｌ)シグナリングであってもよく、これを限定しない。
【００７８】
選択可能で、本発明の実施例において、当該距離閾値は、端末デバイスとネットワーク側デバイスとがプロトコルにより規定されたものであってもよく、これを限定しない。
【００７９】
そして、本発明の実施例におけるデータ伝送方法によれば、端末デバイスは、当該端末デバイスが第１ＴＡ値の再利用の事前設定条件を満たしていると確定し、当該第１ＴＡ値に基づいてデータ伝送を行い、ここで、当該第１ＴＡ値は、当該端末デバイスが前回のデータ伝送に使用したものであり、これによって、遅延を低減させ、シグナリングオーバーヘッドを減少させることができる。さらに、端末デバイスが満たしている事前設定条件は、端末デバイスの移動距離と距離閾値との関係を比較して確定されてもよい。
【００８０】
選択可能で、１つの実施例として、Ｓ２１０は、さらに、
当該端末デバイスの信号電力値が信号電力の下限閾値より大きく、信号電力の上限閾値より小さいと確定することを含み、ここで、当該信号電力の上限閾値が当該信号電力の下限閾値より大きい。
【００８１】
例えば、選択可能で、１つの実施例として、Ｓ２１０は、
当該端末デバイスの参照信号受信電力ＲＳＲＰ値がＲＳＲＰの下限閾値より大きく、ＲＳＲＰの上限閾値より小さいと確定することを含み、ここで、当該ＲＳＲＰの上限閾値が当該ＲＳＲＰの下限閾値より大きい。
【００８２】
具体的に、端末デバイスは位置変化情報が事前設定条件を満たしていることは、端末デバイスは、その参照信号受信電力ＲＳＲＰ値がＲＳＲＰの下限閾値より大きく、且つがＲＳＲＰの上限閾値より小さいと確定することであり、ここで、当該ＲＳＲＰの上限閾値が当該ＲＳＲＰの下限閾値により大きい。この事前設定条件を満たしている場合に、端末デバイスは、データ伝送の前回のＴＡ値を流用してデータ伝送を行うことができる。
【００８３】
なお、本発明の実施例において、信号電力値は、ＲＳＲＰ値に限定しなく、端末デバイスが第１ＴＡ値を再利用する可能な事前設定条件を示す他の電力値であってもよく、これを限定しない。
【００８４】
本発明の実施例において、ＲＳＲＰ値は、ＬＴＥネットワークにおいて端末デバイスの無線信号強度を示す重要なパラメータであり、端末デバイスにより測定された基地局の信号強度を反映し、端末デバイスの位置変化情報を示すことができる。
【００８５】
例えば、端末デバイスは、第１ＴＡ値に基づいて前回のデータ伝送を行う場合、端末デバイスのＲＳＲＰ値が１００ｄｂであり、ＲＳＲＰの下限閾値が９５ｄｂであり、ＲＳＲＰの上限閾値が１０５ｄｂである。そして、端末デバイスのＲＳＲＰ値が９５−１０５ｄｂにある場合、１００ｄｂに対応する第１ＴＡ値を利用してデータ伝送を行うことができる。又は、他の形態として、端末デバイスの変化値が正負の５ｄｂの間にある場合、当該第１ＴＡ値を再利用することができる。
【００８６】
また、例えば、端末デバイスは、基地局を中心とし円弧形状で移動し、端末デバイスの所在の位置にＲＳＲＰ値がある。ここで、端末デバイスは、当該円弧形状の領域範囲内に移動する場合、ＴＡ値を再利用することができる。
【００８７】
選択可能で、１つの実施例として、当該方法２００は、さらに、
ネットワーク側デバイスにより送信された当該信号電力の上限閾値及び当該信号電力の下限閾値を受信することを含む。
【００８８】
例えば、選択可能で、１つの実施例として、当該方法２００は、さらに、
ネットワーク側デバイスにより送信された当該ＲＳＲＰの上限閾値及び当該ＲＳＲＰの下限閾値を受信することを含む。
【００８９】
具体的に、端末デバイスは、ネットワーク側デバイスにより送信された当該ＲＳＲＰの上限閾値及び当該ＲＳＲＰの下限閾値を受信し、その後、当該ＲＳＲＰの上限閾値及び当該ＲＳＲＰの下限閾値に基づいて端末デバイスのＲＳＲＰ値が事前設定条件を満たしていると判定する場合、第１ＴＡ値に基づいてデータ伝送を行う。
【００９０】
選択可能で、ネットワーク側デバイスにより送信された当該ＲＳＲＰの上限閾値及び当該ＲＳＲＰの下限閾値を受信することは、
ネットワーク側デバイスがブロードキャストメッセージ又はシグナリングにより送信した当該ＲＳＲＰの上限閾値及び当該ＲＳＲＰの下限閾値を受信することを含む。
【００９１】
本発明の実施例において、端末デバイスは、ネットワーク側デバイスがブロードキャストメッセージ又は専用シグナリング等により送信した当該ＲＳＲＰの上限閾値及び当該ＲＳＲＰの下限閾値を受信してもよく、これを限定しない。
【００９２】
選択可能で、本発明の実施例において、当該ＲＳＲＰの上限閾値及び当該ＲＳＲＰの下限閾値は、端末デバイスとネットワーク側デバイスとがプロトコルにより規定されたのもであってもよく、これを限定しない。
【００９３】
選択可能で、１つの実施例として、Ｓ２１０は、さらに、
所定の時間帯において、当該端末デバイスの信号電力値が信号電力の下限閾値より大きく、信号電力の上限閾値より小さいと確定することを含み、ここで、当該信号電力の上限閾値が当該信号電力の下限閾値より大きい。
【００９４】
例えば、選択可能で、１つの実施例として、Ｓ２１０は、
所定の時間帯において、当該端末デバイスのＲＳＲＰ値がＲＳＲＰの下限閾値より大きく、ＲＳＲＰの上限閾値より小さいと確定することを含み、ここで、当該ＲＳＲＰの上限閾値が当該ＲＳＲＰの下限閾値より大きい。
【００９５】
具体的に、所定の時間帯において、端末デバイスは、そのＲＳＲＰ値がＲＳＲＰの下限閾値より大きく、ＲＳＲＰの上限閾値より小さいと確立した場合、ここで、当該ＲＳＲＰの上限閾値が当該ＲＳＲＰの下限閾値より大きく、この場合、当該所定の時間帯において第１ＴＡ値を再利用してデータ伝送を行うことができる。
【００９６】
選択可能で、当該方法２００は、さらに、
当該ネットワーク側デバイスにより送信された指示情報を受信することを含み、当該指示情報は、当該所定の時間帯を示すために用いられる。
【００９７】
具体的に、端末デバイスは、ネットワーク側デバイスにより送信された指示情報を受信し、当該指示情報は、当該所定の時間帯を示すために用いられる。例えば、具体的に実施する場合、当該所定の時間帯は、ネットワーク側デバイスが端末デバイスに設定されたタイマーと理解されてもよく、例えば、端末デバイスは、数分間において、測定された基地局の信号強度がある範囲に入る場合に第１ＴＡ値を再利用することができる。ここで、信号強度は、端末デバイスのＲＳＲＰ値で示し、範囲は、ＲＳＲＰの上限閾値及びＲＳＲＰの下限閾値で示す。
【００９８】
選択可能で、本発明の実施例において、ネットワーク側デバイスは、端末デバイスの所定の時間帯を示すための指示情報を送信しても良いし、ブロードキャストメッセージ又はシグナリングに付加してもよい。
【００９９】
なお、本発明の実施例において、距離閾値、ＲＳＲＰの上限閾値及びＲＳＲＰの下限閾値を例として説明し、端末デバイスは、位置変化範囲を示すための他の情報又は指標を利用して事前設定条件を判断してもよく、これを限定しない。
【０１００】
そして、本発明の実施例におけるデータ伝送方法によれば、端末デバイスは、当該端末デバイスが第１ＴＡ値の再利用の事前設定条件を満たしていると確定し、当該第１ＴＡ値に基づいてデータ伝送を行い、ここで、当該第１ＴＡ値は、当該端末デバイスが前回のデータ伝送に使用したものであり、遅延を低減させ、システムのシグナリングオーバーヘッドを減少させることができる。さらに、端末デバイスが満たしている事前設定条件は、端末デバイスのＲＳＲＰ値をＲＳＲＰの上限閾値及びＲＳＲＰの下限閾値と比較して確定してもよい。
【０１０１】
なお、本発明の各実施例において、上記各過程の番号が実行順番の前後を意味しなく、各過程の実行順番は、その機能及び組み込み論理に決定され、本発明の実施例の実行過程を限定しない。
【０１０２】
以上、端末デバイスから本発明の実施例におけるデータ伝送方法を説明し、以下、ネットワーク側デバイス側から本発明の実施例におけるデータ伝送方法を説明する。なお、簡潔するために、端末デバイス側の同じ概念や内容を省略する。
【０１０３】
図３は本発明の他の実施例におけるデータ伝送方法３００のフローチャートである。当該方法３００がネットワーク側デバイスにより実行され、例えば、当該ネットワーク側デバイスが図１の基地局２１である。図３に示すように、当該方法３００は、Ｓ３１０を含む。
【０１０４】
Ｓ３１０において、端末デバイスが第１タイミングアドバンスＴＡ値の再利用の事前設定条件を満たしていると確定する時に当該第１ＴＡ値に基づいて伝送するデータを受信し、ここで、当該第１ＴＡ値は、当該端末デバイスが前回のデータ伝送に使用したものである。
【０１０５】
本発明の実施例において、ネットワーク側デバイスは、端末デバイスが第１ＴＡ値に基づいて送信するデータを受信することができ、当該第１ＴＡ値は、端末デバイスの前回の伝送に使用したものである。さらに、端末デバイスは、その位置変化情報が事前設定条件を満たしていると確定した時に、当該第１ＴＡ値を再利用する。このように、ネットワーク側デバイスが端末デバイスのために新しいＴＡ値を再計算する必要がなく、遅延を低減させ、システムのシグナリングオーバーヘッドを減少させることができる。
【０１０６】
選択可能で、１つの実施例として、Ｓ３１０前に、当該方法３００は、さらに、
当該端末デバイスに距離閾値を送信することを含み、
ここで、Ｓ３１０は、
当該端末デバイスが当該端末デバイスの現在位置と当該端末デバイスのデータ伝送の前回位置との間の距離が当該距離閾値の以下であると確定する時に当該第１ＴＡ値に基づいて伝送するデータを受信することを含む。
【０１０７】
具体的に、ネットワーク側デバイスが端末デバイスに距離閾値を送信して、端末デバイスが当該距離閾値に基づいて事前設定条件を満たしているかどうかを判断する。端末デバイスがその現在位置と当該端末デバイスのデータ伝送の前回位置との間の距離が当該端末デバイスの距離閾値の以下であると確定する場合、ネットワーク側デバイスは、端末デバイスが当該第１ＴＡ値を再利用してネットワーク側デバイスに送信するデータを受信することができる。
【０１０８】
選択可能で、当該端末デバイスに距離閾値を送信することは、
ブロードキャストメッセージ又はシグナリングにより当該端末デバイスに当該距離閾値を送信することを含む。
【０１０９】
具体的に、ネットワーク側デバイスは、端末デバイスに距離閾値を送信する場合、ブロードキャストメッセージ又は専用シグナリング(例えば、ＲＲＣシグナリング)などによって送信を行うことができ、これを限定しない。
【０１１０】
そして、ネットワーク側デバイスは、端末デバイスが第１ＴＡ値の再利用の事前設定条件を満たしていると確定する時に当該第１ＴＡ値に基づいて伝送するデータを受信することができ、ここで、当該第１ＴＡ値は、当該端末デバイスが前回のデータ伝送に使用したものであり、ネットワーク側デバイスが端末デバイスのために新しいＴＡ値を再計算することを回避し、遅延を低減させ、システムのシグナリングオーバーヘッドを減少させることができる。さらに、ネットワーク側デバイスが端末デバイスに距離閾値を送信して、端末デバイスが距離閾値に基づいてそれが第１ＴＡ値の再利用の事前設定条件を満たしているかどうかを確定する。
【０１１１】
選択可能で、１つの実施例として、Ｓ３１０の前に、当該方法３００は、さらに、
当該端末デバイスに信号電力の上限閾値及び信号電力の下限閾値を送信することを含み、ここで、当該信号電力の上限閾値が当該信号電力の下限閾値より大きく、
ここで、Ｓ３１０は、
当該端末デバイスが当該端末デバイスの信号電力値が信号電力の下限閾値より大きく、信号電力の上限閾値より小さいと確定する時に当該第１ＴＡ値に基づいて伝送するデータを受信する。
【０１１２】
例えば、選択可能で、１つの実施例として、Ｓ３１０の前に、当該方法３００は、さらに、
当該端末デバイスに参照信号受信電力ＲＳＲＰの上限閾値及びＲＳＲＰの下限閾値を送信することを含み、ここで、当該ＲＳＲＰの上限閾値が当該ＲＳＲＰの下限閾値より大きく、
ここで、Ｓ３１０は、
当該端末デバイスが当該端末デバイスの参照信号受信電力ＲＳＲＰ値がＲＳＲＰの下限閾値より大きく、ＲＳＲＰの上限閾値より小さいと確定する時に当該第１ＴＡ値に基づいて伝送するデータを受信することを含む。
【０１１３】
具体的に、ネットワーク側デバイスが端末デバイスにＲＳＲＰの上限閾値及びＲＳＲＰの下限閾値を送信して、端末デバイスが当該ＲＳＲＰの上限閾値及び当該ＲＳＲＰの下限閾値に基づいて事前設定条件を満たしているかどうかを判断する。端末デバイスは、そのＲＳＲＰ値がＲＳＲＰの下限閾値より大きく、ＲＳＲＰの上限閾値より小さいと確定した場合、ネットワーク側デバイスは、当該端末デバイスが当該第１ＴＡ値を再利用してネットワーク側デバイスに送信するデータを受信する。
【０１１４】
選択可能で、当該端末デバイスにＲＳＲＰの上限閾値及びＲＳＲＰの下限閾値を送信することは、
ブロードキャストメッセージ又はシグナリングにより当該端末デバイスに当該ＲＳＲＰの上限閾値及び当該ＲＳＲＰの下限閾値を送信することを含む。
【０１１５】
具体的に、ネットワーク側デバイスは、端末デバイスにＲＳＲＰの上限閾値及びＲＳＲＰの下限閾値を送信する場合、ブロードキャストメッセージ又は専用シグナリング(例えば、ＲＲＣシグナリング)などにより送信を行うことができ、これを限定しない。
【０１１６】
選択可能で、当該方法３００は、さらに、
当該端末デバイスに指示情報を送信することを含み、当該指示情報は、所定の時間帯を示すために用いられ、
ここで、端末デバイスが当該端末デバイスの位置変化情報が事前設定条件を満たしていると確定する時に第１タイミングアドバンスＴＡ値に基づいて伝送するデータを受信することは、
当該端末デバイスが当該所定の時間帯において、当該端末デバイスの参照信号受信電力ＲＳＲＰ値がＲＳＲＰの下限閾値より大きく、ＲＳＲＰの上限閾値より小さいと確定する場合に当該第１ＴＡ値に基づいて伝送するデータを受信することを含む。
【０１１７】
具体的に、ネットワーク側デバイスは、端末デバイスに指示情報を送信してもよく、当該指示情報は、端末デバイスの所定の時間帯を示すために用いられ、このように、端末デバイスが当該所定の時間帯において、当該端末デバイスのＲＳＲＰ値がＲＳＲＰの下限閾値より大きく、ＲＳＲＰの上限閾値より小さいと確定した場合に当該第１ＴＡ値に基づいてネットワーク側デバイスにデータを送信する。
【０１１８】
選択可能で、具体的に実施する場合、当該所定の時間帯は、ネットワーク側デバイスが端末デバイスに設定されたタイマーと理解されてもよく、例えば、端末デバイスは、数分間において、測定された基地局の信号強度がある範囲に入る場合に第１ＴＡ値を再利用することができる。
【０１１９】
そして、ネットワーク側デバイスは、端末デバイスが第１ＴＡ値の再利用の事前設定条件を満たしていると確定する時に当該第１ＴＡ値に基づいて伝送するデータを受信することができ、ここで、当該第１ＴＡ値は、当該端末デバイスが前回のデータ伝送に使用したものであり、ネットワーク側デバイスにより端末デバイスのために新しいＴＡ値を再計算することを回避し、遅延を低減させ、システムのシグナリングオーバーヘッドを減少させることができる。さらに、ネットワーク側デバイスが端末デバイスにＲＳＲＰ上下限閾値を送信して、端末デバイスがＲＳＲＰ上下限閾値に基づいてその位置変化情報が第１ＴＡ値の再利用の事前設定条件を満たしているかどうかを確定する。
【０１２０】
なお、本発明の各実施例において、上記各過程の番号が実行順番の前後を意味しなく、各過程の実行順番は、その機能及び組み込み論理に決定され、本発明の実施例の実行過程を限定しない。
【０１２１】
以上、端末デバイス及びネットワーク側デバイスから本発明の実施例におけるデータ伝送方法を説明し、以下、本発明の実施例における端末デバイス及びネットワーク側デバイスを説明する。
【０１２２】
図４は本発明の実施例における端末デバイス４００のブロック図を示す。図４に示すように、当該端末デバイス４００は、確定モジュール４１０及び伝送モジュール４２０を含む。
【０１２３】
確定モジュール４１０は、端末デバイスが第１タイミングアドバンスＴＡ値の再利用の事前設定条件を満たしていると確定するように構成される。
【０１２４】
伝送モジュール４２０は、当該第１ＴＡ値に基づいてデータ伝送を行うように構成され、ここで、当該第１ＴＡ値は、当該端末デバイスが前回のデータ伝送に使用したものである。
【０１２５】
本発明の実施例において、端末デバイスは、当該端末デバイスが第１ＴＡ値の再利用の事前設定条件を満たしていると確定し、当該第１ＴＡ値に基づいてデータ伝送を行い、ここで、当該第１ＴＡ値は、当該端末デバイスが前回のデータ伝送に使用したものであり、これによって、遅延を低減させ、シグナリングオーバーヘッドを減少させることができる。
【０１２６】
選択可能で、１つの実施例として、当該確定モジュール４１０は、具体的に、
当該端末デバイスの現在位置と当該端末デバイスのデータ伝送の前回位置との間の距離が距離閾値の以下であると確定するように構成される。
【０１２７】
選択可能で、当該端末デバイス４００は、さらに、第１受信モジュールを含み、
第１受信モジュールは、ネットワーク側デバイスにより送信された当該距離閾値を受信するように構成される。
【０１２８】
選択可能で、１つの実施例として、当該確定モジュール４１０は、具体的に、
当該端末デバイスの信号電力値が信号電力の下限閾値より大きく、信号電力の上限閾値より小さいと確定するように構成され、ここで、当該信号電力の上限閾値が当該信号電力の下限閾値より大きい。
【０１２９】
選択可能で、当該端末デバイス４００は、さらに、第２受信モジュールを含み、
第２受信モジュールは、ネットワーク側デバイスにより送信された当該信号電力の上限閾値及び当該信号電力の下限閾値を受信するように構成される。
【０１３０】
選択可能で、当該確定モジュール４１０は、具体的に、
所定の時間帯において、当該端末デバイスの参照信号受信電力の信号電力値が信号電力の下限閾値より大きく、信号電力の上限閾値より小さいと確定するように構成され、ここで、当該信号電力の上限閾値が当該信号電力の下限閾値より大きい。
【０１３１】
選択可能で、当該端末デバイス４００は、さらに、第３受信モジュールを含み、
第３受信モジュールは、当該ネットワーク側デバイスにより送信された指示情報を受信するように構成され、当該指示情報は、当該所定の時間帯を示すために用いられる。
【０１３２】
選択可能で、当該第１受信モジュールは、具体的に、
ネットワーク側デバイスがブロードキャストメッセージ又はシグナリングにより送信した当該距離閾値を受信するように構成される。
【０１３３】
選択可能で、当該第２受信モジュールは、具体的に、
ネットワーク側デバイスがブロードキャストメッセージ又はシグナリングにより送信した当該信号電力の上限閾値及び当該信号電力の下限閾値を受信するように構成される。
【０１３４】
本発明の実施例における端末デバイス４００は、本発明の実施例におけるデータ伝送方法２００を実行し、さらに、当該端末デバイス４００の各モジュールの上記及び他の操作及び／又は機能が上記の各方法のプロセスを実現し、簡潔にするために、ここでは説明を省略する。
【０１３５】
そして、本発明の実施例における端末デバイス４００は、当該端末デバイスが第１ＴＡ値の再利用の事前設定条件を満たしていると確定し、第１ＴＡ値に基づいてデータ伝送を行い、ここで、当該第１ＴＡ値は、当該端末デバイスが前回のデータ伝送に使用したものであり、遅延を低減させ、システムのシグナリングオーバーヘッドを減少させることができる。
【０１３６】
なお、本発明の実施例において、伝送モジュール４２０が送信機により実現され、受信モジュール４２０が受信機により実現され、確定モジュール４１０がプロセッサにより実現されることができる。図５に示すように、端末デバイス５００は、プロセッサ５０１、受信機５０２、送信機５０３及びメモリー５０４を含む。ここで、メモリー５０４は、プロセッサ５０１により実行されるコードなどを記憶する。プロセッサ５０１は、メモリー５０４に記憶されたコードを実行する。
【０１３７】
端末デバイス５００内の各部品がバスシステム５０５により接続され、ここで、バスシステム５０５は、データバス、電源バス、制御バス及び状態信号バスを含む。
【０１３８】
図６は本発明の実施例におけるシステムチップの構成図である。図６のシステムチップ６００は、入力インターフェース６１０、出力インターフェース６２０、１つ以上のプロセッサ６３０、メモリー６４０を含み、当該入力インターフェース６１０と出力インターフェース６２０と当該プロセッサ６３０とメモリー６４０とは、バス６５０により接続され、当該プロセッサ６３０は、当該メモリー６４０内のコードを実行し、当該コードが実行される場合、当該プロセッサ６３０は、図２の端末デバイスにより実行される方法を実現する。
【０１３９】
図４に示す端末デバイス４００、図５に示す端末デバイス５００又は図６に示すシステムチップ６００は、上記の図２方法の実施例において端末デバイスにより実現される各過程を実現することができ、簡潔にするために、ここでは説明を省略する。
【０１４０】
図７は本発明の実施例におけるネットワーク側デバイス７００のブロック図を示す。図７に示すように、当該ネットワーク側デバイス７００は、受信モジュール７１０を含む。
【０１４１】
受信モジュール７１０は、端末デバイスが第１タイミングアドバンスＴＡ値の再利用の事前設定条件を満たしていると確定する時に当該第１ＴＡ値に基づいて伝送するデータを受信するように構成され、ここで、当該第１ＴＡ値は、当該端末デバイスが前回のデータ伝送に使用したものである。
【０１４２】
本発明の実施例において、ネットワーク側デバイスは、端末デバイスが第１ＴＡ値に基づいて送信するデータを受信してもよく、当該第１ＴＡ値は、端末デバイスの前回の伝送に使用したものである。さらに、端末デバイスは、それが第１ＴＡ値の再利用の事前設定条件を満たしていると確定した時に、当該第１ＴＡ値を再利用する。このように、ネットワーク側デバイスが端末デバイスのために新しいＴＡ値を再計算する必要がなく、遅延を低減させ、システムのシグナリングオーバーヘッドを減少させることができる。
【０１４３】
選択可能で、１つの実施例として、当該ネットワーク側デバイスは、さらに、第１送信モジュールを含み、
前記第１送信モジュールは、当該端末デバイスに距離閾値を送信するように構成され、
ここで、当該受信モジュール７１０は、具体的に、
当該端末デバイスが当該端末デバイスの現在位置と当該端末デバイスの前回のデータ伝送を行う位置との間の距離が当該第１送信モジュールからの当該距離閾値の以下であると確定する時に当該第１ＴＡ値に基づいて伝送するデータを受信するように構成される。
【０１４４】
選択可能で、当該第１送信モジュールは、具体的に、
ブロードキャストメッセージ又はシグナリングにより当該端末デバイスに当該距離閾値を送信するように構成される。
【０１４５】
選択可能で、１つの実施例として、当該ネットワーク側デバイスは、さらに、第２送信モジュールを含み
前記第２送信モジュールは、当該端末デバイスに参照信号受信電力の信号電力の上限閾値及び信号電力の下限閾値を送信するように構成され、ここで、当該信号電力の上限閾値が当該信号電力の下限閾値より大きく、
ここで、当該受信モジュールは、具体的に、
当該端末デバイスが当該端末デバイスの参照信号受信電力の信号電力値が当該第２送信モジュールからの当該信号電力の下限閾値より大きく、当該第２送信モジュールからの当該信号電力の上限閾値より小さいと確定する時に当該第１ＴＡ値に基づいて伝送するデータを受信するように構成される。
【０１４６】
選択可能で、１つの実施例として、当該ネットワーク側デバイスは、さらに、第３送信モジュールを含み
前記第３送信モジュールは、当該端末デバイスに指示情報を送信するように構成され、当該指示情報は、所定の時間帯を示すために用いられ、
ここで、当該受信モジュールは、具体的に、
当該端末デバイスが当該所定の時間帯において、当該端末デバイスの参照信号受信電力信号電力値が信号電力の下限閾値より大きく、信号電力の上限閾値より小さいと確定する時に当該第１ＴＡ値に基づいて伝送するデータを受信するように構成される。
【０１４７】
選択可能で、当該第２送信モジュールは、具体的に、
ブロードキャストメッセージ又はシグナリングにより、当該端末デバイスに当該信号電力の上限閾値及び当該信号電力の下限閾値を送信するように構成される。
【０１４８】
本発明の実施例におけるネットワーク側デバイス７００は、本発明の実施例おけるデータ伝送方法３００を実行し、さらに、当該当該ネットワーク側デバイス７００の各モジュールの上記及び他の操作及び／又は機能が上記の各方法のプロセスを実現し、簡潔にするために、ここでは説明を省略する。
【０１４９】
そして、本発明の実施例におけるネットワーク側デバイス７００は、端末デバイスが第１ＴＡ値の再利用の事前設定条件を満たしていると確定する時に当該第１ＴＡ値に基づいて伝送するデータを受信し、ここで、当該第１ＴＡ値は、当該端末デバイスが前回のデータ伝送に使用したものであり、ネットワーク側デバイスが端末デバイスのために新しいＴＡ値を再計算することを回避し、遅延を低減させ、システムのシグナリングオーバーヘッドを減少させることができる。
【０１５０】
なお、本発明の実施例において、受信モジュール７１０が受信機により実現され、第１送信モジュール、第２送信モジュール、第３送信モジュールが送信機により実現されることができる。図８に示すように、ネットワーク側デバイス８００は、プロセッサ８０１、受信機８０２、送信機８０３及びメモリー８０４を含む。ここで、メモリー８０４は、プロセッサ８０１により実行されるコードなどを記憶する。プロセッサ８０１は、メモリー８０４に記憶したコードを実行する。
【０１５１】
端末デバイス８００内の各部品がバスシステム８０５により接続され、ここで、バスシステム８０５は、データバス、電源バス、制御バス及び状態信号バスを含む。
【０１５２】
図９は本発明の実施例におけるシステムチップの構成図である。図９のシステムチップ９００は、入力インターフェース９１０、出力インターフェース９２０、１つ以上のプロセッサ９３０、メモリー９４０を含み、当該入力インターフェース９１０と出力インターフェース９２０と当該プロセッサ９３０とメモリー９４０とは、バス９５０により接続され、当該プロセッサ９３０は、当該メモリー９４０内のコードを実行し、当該コードが実行される場合、当該プロセッサ９３０は、図３のネットワーク側デバイスにより実行される方法を実現する。
【０１５３】
図７に示すネットワーク側デバイス７００、図８に示すネットワーク側デバイス８００又は図９に示すシステムチップ９００は、上記の図３方法の実施例においてネットワーク側デバイスにより実現されるプロセスを実行することができ、簡潔にするために、ここでは説明を省略する。
【０１５４】
なお、本発明の上記方法の実施例はプロセッサに適用されてもよく、又はプロセッサによって実現されてもよい。プロセッサは集積回路チップである可能性があり、信号処理能力を備えている。実現過程において、上記方法の実施例における各ステップは、プロセッサにおけるハードウェアの集積論理回路、又はソフトウェア形態の命令により完成されてもよい。上記のプロセッサは汎用プロセッサ、デジタル信号プロセッサ（ＤＳＰ：Ｄｉｇｉｔａｌ  Ｓｉｇｎａｌ  Ｐｒｏｃｅｓｓｏｒ）、専用集積回路（ＡＳＩＣ：Ａｐｐｌｉｃａｔｉｏｎ  Ｓｐｅｃｉｆｉｃ  Ｉｎｔｅｇｒａｔｅｄ  Ｃｉｒｃｕｉｔ）、現場でプログラマブルゲートアレイ（ＦＰＧＡ：Ｆｉｅｌｄ  Ｐｒｏｇｒａｍｍａｂｌｅ  Ｇａｔｅ  Ａｒｒａｙ）、又は他のプログラマブルロジックデバイス、ディスクリートゲート又はトランジスタ論理デバイス、ディスクリートハードウェアコンポーネントであっても良い。本発明の実施例における開示された各方法、ステップ及び論理ブロック図を実現、又は実行することができる。汎用プロセッサはマイクロプロセッサであっても良く、又は該プロセッサはいずれかの通常のプロセッサなどであっても良い。本発明の実施例に開示された方法を結合するステップは、ハードウェア復号プロセッサによって実行して完成され、又は復号プロセッサにおけるハードウェアモジュール及びソフトウェアモジュールの組み合わせによって実行して完成されるように具現することができる。ソフトウェアモジュールは、ランダムアクセスメモリ、フラッシュメモリ、読み取り専用メモリ、プログラマブル読み取り専用メモリ又は電気的消去可能プログラマブルメモリ、レジスタなどの本分野における成熟した記憶媒体に位置してもよい。該記憶媒質はメモリに位置し、プロセッサはメモリにおける情報を読み取り、そのハードウェアと組み合わせて上記方法のステップを完成する。
【０１５５】
本発明の実施例におけるメモリは揮発性記憶装置又は不揮発性記憶装置であっても良く、又は揮発性記憶装置及び不揮発性記憶装置の両者を含むことができることが理解できる。ここで、不揮発性記憶装置は読み取り専用メモリ（ＲＯＭ：Ｒｅａｄ−Ｏｎｌｙ  Ｍｅｍｏｒｙ）、プログラマブル読み取り専用メモリ（ＰＲＯＭ：Ｐｒｏｇｒａｍｍａｂｌｅ  ＲＯＭ）、消去可能プログラマブル読み取り専用メモリ（ＥＰＲＯＭ：Ｅｒａｓａｂｌｅ  ＰＲＯＭ）、電気的消去可能プログラマブル読み取り専用メモリ（ＥＥＰＲＯＭ：Ｅｌｅｃｔｒｉｃａｌｌｙ  ＥＰＲＯＭ）又はフラッシュメモリであっても良い。揮発性記憶装置は外部キャッシュメモリとして機能するランダムアクセスメモリ（ＲＡＭ：Ｒａｎｄｏｍ  Ａｃｃｅｓｓ  Ｍｅｍｏｒｙ）であっても良い。制限的でなく例示的な説明により、多くの形態のＲＡＭは利用可能であり、例えばスタティックランダムアクセスメモリ（ＳＲＡＭ：Ｓｔａｔｉｃ  ＲＡＭ）、動的ランダムアクセスメモリ（ＤＲＡＭ：Ｄｙｎａｍｉｃ  ＲＡＭ）、同期動的ランダムアクセスメモリ（ＳＤＲＡＭ：Ｓｙｎｃｈｒｏｎｏｕｓ  ＤＲＡＭ）、ダブルデータレート同期動的ランダムアクセスメモリ（ＤＤＲＳＤＲＡＭ：Ｄｏｕｂｌｅ  Ｄａｔａ  Ｒａｔｅ  ＳＤＲＡＭ）、強化型同期動的ランダムアクセスメモリ（ＥＳＤＲＡＭ：Ｅｎｈａｎｃｅｄ  ＳＤＲＡＭ）、同期リンク動的ランダムアクセスメモリ（ＳＬＤＲＡＭ：Ｓｙｎｃｈｌｉｎｋ  ＤＲＡＭ）とダイレクトラムバスランダムアクセスメモリ（ＤＲ  ＲＡＭ）である。注意すべきこととして、本明細書に記載のシステムと方法のメモリは、これら、及びいずれかの他の適切なタイプのメモリを含むことを主旨しているが、これらに限定されない。
【０１５６】
また、本明細書に記載される「システム」及び「ネットワーク」という単語は交換可能に使用される。また、本明細書に記載される「及び／又は」、関連対象の関連関係を説明するものだけであり、以下の３つの関係を示す。例えば、Ａ及び／又はＢは、Ａが単独存在すること、ＡとＢが同時に存在すること、及びＢが単独存在することそれぞれ示す。また、本明細書に記載される「／」は、通常に、前後の関連対象の「又は」の関係を示す。
【０１５７】
なお、本発明の実施例において、「Ａに対応するＢ」は、ＢがＡに関連し、ＡによってＢを確定することを示す。ただし、ＡによってＢを確定することは、ＡのみによってＢを確定することを意味しなく、Ａ及び／又は他の情報によってＢを確定してもよい。
【０１５８】
なお、本発明の各実施例において、上記各過程の番号が実行順番の前後を意味しなく、各過程の実行順番は、その機能及び組み込み論理に決定され、本発明の実施例の実行過程を限定しない。
【０１５９】
本願に開示されている実施例に説明されている各例示的なユニット及びアルゴリズムのステップを結合し、電子ハードウェア、又はコンピュータソフトウェアと電子ハードウェアの結合を用いて実現することができると、当業者であれば理解できる。これらの機能がハードウェアの形式かそれともソフトウェアの形式で実施するかについては、技術案の特定応用と設計制約によるものである。当業者は、各特定応用に応じて異なる方法を用いて、説明されている機能を実現することができるが、このような実現は本発明の範囲を超えていると見なすべきではない。
【０１６０】
当業者は、簡潔にするために、上記のシステム、装置及びユニットの動作過程が上記の方法の実施例の過程を参照することができると理解すべきであり、ここで説明を省略する。
【０１６１】
本願に提供されている幾つかの実施例において、開示されているシステム、装置及び方法は、その他の方式で実現されても良い。例えば、上記に記載されている装置の実施例は単なる例示的なものに過ぎず、例えば、前記ユニットの分け方が、単なるロジック的な機能分けであり、実際、実現する時に他の分け方があっても良く、例えば、複数のユニット又はコンポーネントを別のシステムへ統合、又は集成しても良く、又は幾つかの技術特徴を省略、又は実施しなくても良い。また、明示され、又は議論されている各構成部分の互い的なカップリング、又は直接のカップリング、又は通信接続は、幾つかのインターフェース、装置、又はユニットの間接のカップリング又は通信によって接続されても良く、電気的、機械的、又はその他の形式であっても良い。
【０１６２】
上記で分離コンポーネントとして説明したユニットは、物理的に分離されるものであっても良く、そうではないものであっても良い。ユニットとして示されるコンポーネントは物理ユニットであっても良く、そうではないものであっても良い。一箇所に配置されても良く、複数のネットワークユニットに配布しても良い。実際のニーズに応じて、その中の一部又は全部のユニットを選択して本実施例の技術案の目的を実現しても良い。
【０１６３】
また、本発明の各実施例における各機能ユニットは、一つの処理ユニットに統合しても良く、各ユニットはそれぞれ単独なユニットとしても良く、二つ又は二つ以上のユニットを一つのユニットに統合しても良い。
【０１６４】
前記機能は、ソフトウェア機能ユニットの方式で実現し、しかも独立な製品として販売又は使用する場合、コンピュータ読み取り可能の記憶媒体に記憶しても良い。これによって、本発明の技術案が事実上、言い換えれば先行技術に貢献した部分がソフトウェア製品の形で具現でき、該コンピュータソフトウェア製品は記憶媒体に記憶され、コンピュータ装置（パソコン、サーバ、またはネットワーク装置などであっても良い）に本発明の各実施例の全部または一部の前記方法を実行させための複数の命令を含む。上記の記憶媒体は、ＵＳＢメモリ、移動記憶媒体、読み取り専用メモリ（ＲＯＭ：Ｒｅａｄ−Ｏｎｌｙ  Ｍｅｍｏｒｙ）、ランダムアクセス記憶装置（ＲＡＭ：Ｒａｎｄｏｍ  Ａｃｃｅｓｓ  Ｍｅｍｏｒｙ）、磁気ディスク又はコンパクトディスクなどの各種のプログラムコードが記憶できる媒体を含む。
【０１６５】
上記に記載されているのは、単なる本発明の具体的な実施形態に過ぎず、本発明はそれに限らず、当業者が本発明に開示されている範囲内において、容易に想到し得る変形又は入れ替えは、全て本発明の範囲内に含まれるべきである。そのため、本発明の範囲は、記載されている特許請求の範囲に準じるべきである。
【図１】
2019531009.tif 000003
【図２】
2019531009.tif 000004
【図３】
2019531009.tif 000005
【図４】
2019531009.tif 000006
【図５】
2019531009.tif 000007
【図６】
2019531009.tif 000008
【図７】
2019531009.tif 000009
【図８】
2019531009.tif 000010
【図９】
2019531009.tif 000011
【手続補正書】
【提出日】平成31年2月21日(2019.2.21)
【手続補正１】
【補正対象書類名】明細書
【補正対象項目名】００５１
【補正方法】変更
【補正の内容】
【００５１】
図１に示すように、端末デバイス１１が基地局２１と通信し、端末デバイス１２が基地局２１と通信し、端末デバイス１３が基地局２１と通信することができる。また、端末デバイス１２が端末デバイス１１と通信することができる。また、他の形態として、端末デバイス１３が基地局２１と通信する。端末デバイスは、移動通信システムにアクセスし又はデータ伝送を行う時に、タイミングアドバンス(ＴＡ：Ｔｉｍｉｎｇ  Ａｄｖａｎｃｅ)を取得する必要がある。ここで、当該ＴＡ値が端末デバイスと基地局との距離を示し、又は、ＴＡ値を導入してアップリンク同期を行ってからアップリンクデータを送信する。
【手続補正２】
【補正対象書類名】明細書
【補正対象項目名】０１３６
【補正方法】変更
【補正の内容】
【０１３６】
なお、本発明の実施例において、伝送モジュール４２０が送信機により実現され、受信モジュールが受信機により実現され、確定モジュール４１０がプロセッサにより実現されることができる。図５に示すように、端末デバイス５００は、プロセッサ５０１、受信機５０２、送信機５０３及びメモリー５０４を含む。ここで、メモリー５０４は、プロセッサ５０１により実行されるコードなどを記憶する。プロセッサ５０１は、メモリー５０４に記憶されたコードを実行する。
【手続補正３】
【補正対象書類名】特許請求の範囲
【補正対象項目名】全文
【補正方法】変更
【補正の内容】
【特許請求の範囲】
【請求項１】
データ伝送方法であって、
端末デバイスが第１タイミングアドバンスＴＡ値の再利用の事前設定条件を満たしていると確定することと、
前記第１ＴＡ値に基づいてデータ伝送を行うこととを含み、
ここで、前記第１ＴＡ値は、前記端末デバイスが前回のデータ伝送に使用したものである
ことを特徴とするデータ伝送方法。
【請求項２】
前記端末デバイスが第１タイミングアドバンスＴＡ値の再利用の事前設定条件を満たしていると確定することは、
前記端末デバイスの現在位置と前記端末デバイスのデータ伝送の前回位置との間の距離が距離閾値の以下であると確定することを含む
ことを特徴とする請求項１に記載のデータ伝送方法。
【請求項３】
ネットワーク側デバイスにより送信された前記距離閾値を受信することをさらに含む
ことを特徴とする請求項２に記載のデータ伝送方法。
【請求項４】
前記端末デバイスが第１タイミングアドバンスＴＡ値の再利用の事前設定条件を満たしていると確定することは、
前記端末デバイスの信号電力値が信号電力の下限閾値より大きく、信号電力の上限閾値により小さいと確定することを含み、
ここで、前記信号電力の上限閾値が前記信号電力の下限閾値より大きい
ことを特徴とする請求項１に記載のデータ伝送方法。
【請求項５】
ネットワーク側デバイスにより送信された前記信号電力の上限閾値及び前記信号電力の下限閾値を受信することをさらに含む
ことを特徴とする請求項４に記載のデータ伝送方法。
【請求項６】
前記端末デバイスが第１タイミングアドバンスＴＡ値の再利用の事前設定条件を満たしていると確定することは、さらに、
所定の時間帯において、前記端末デバイスの信号電力値が信号電力の下限閾値より大きく、信号電力の上限閾値により小さいと確定することを含み、
ここで、前記信号電力の上限閾値が前記信号電力の下限閾値より大きい
ことを特徴とする請求項４又は５に記載のデータ伝送方法。
【請求項７】
前記ネットワーク側デバイスにより送信された指示情報を受信することをさらに含み、
前記指示情報は、前記所定の時間帯を示すために用いられる
ことを特徴とする請求項６に記載のデータ伝送方法。
【請求項８】
前記ネットワーク側デバイスにより送信された前記距離閾値を受信することは、
前記ネットワーク側デバイスがブロードキャストメッセージ又はシグナリングにより送信した前記距離閾値を受信することを含む
ことを特徴とする請求項３に記載のデータ伝送方法。
【請求項９】
データ伝送方法であって、
端末デバイスが第１タイミングアドバンスＴＡ値の再利用の事前設定条件を満たしていると確定する時に前記第１ＴＡ値に基づいて伝送するデータを受信することを含み、
ここで、前記第１ＴＡ値は、前記端末デバイスが前回のデータ伝送に使用したものである
ことを特徴とするデータ伝送方法。
【請求項１０】
前記端末デバイスが第１タイミングアドバンスＴＡ値の再利用の事前設定条件を満たしていると確定する時に前記第１ＴＡ値に基づいて伝送するデータを受信する前に、前記データ伝送方法は、さらに、
前記端末デバイスに距離閾値を送信することをさらに含み、
前記端末デバイスが第１タイミングアドバンスＴＡ値の再利用の事前設定条件を満たしていると確定する時に前記第１ＴＡ値に基づいて伝送するデータを受信することは、
前記端末デバイスが前記端末デバイスの現在位置と前記端末デバイスのデータ伝送の前回位置との間の距離が前記距離閾値の以下であると確定する時に前記第１ＴＡ値に基づいて伝送るデータを受信することを含む
ことを特徴とする請求項９に記載のデータ伝送方法。
【請求項１１】
前記端末デバイスに距離閾値を送信することは、
ブロードキャストメッセージ又はシグナリングにより前記端末デバイスに前記距離閾値を送信することを含む
ことを特徴とする請求項１０に記載のデータ伝送方法。
【請求項１２】
前記端末デバイスが第１タイミングアドバンスＴＡ値の再利用の事前設定条件を満たしていると確定する時に前記第１ＴＡ値に基づいて伝送するデータを受信する前に、前記データ伝送方法は、さらに、
前記端末デバイスに信号電力の上限閾値及び信号電力の下限閾値を送信することをさらに含み、
前記信号電力の上限閾値が前記信号電力の下限閾値より大きく、
前記端末デバイスが第１タイミングアドバンスＴＡ値の再利用の事前設定条件を満たしていると確定する時に前記第１ＴＡ値に基づいて伝送するデータを受信することは、
前記端末デバイスが前記端末デバイスの信号電力値が信号電力の下限閾値より大きく、信号電力の上限閾値により小さいと確定する時に前記第１ＴＡ値に基づいて伝送するデータを受信することを含む
ことを特徴とする請求項９に記載のデータ伝送方法。
【請求項１３】
前記データ伝送方法は、前記端末デバイスに指示情報を送信することをさらに含み、
前記指示情報は、所定の時間帯を示すために用いられ、
前記受信端末デバイスが前記端末デバイスの位置変化情報が事前設定条件を満たしていると確定する時に第１タイミングアドバンスＴＡ値に基づいて伝送するデータを受信することは、
前記端末デバイスが前記所定の時間帯において、信号電力値が信号電力の下限閾値より大きく、信号電力の上限閾値により小さいと確定する時に前記第１ＴＡ値に基づいて伝送するデータを受信することを含む
ことを特徴とする請求項１２に記載のデータ伝送方法。
【請求項１４】
端末デバイスであって、
端末デバイスが第１タイミングアドバンスＴＡ値の再利用の事前設定条件を満たしていると確定するように構成される確定モジュールと、
前記第１ＴＡ値に基づいてデータ伝送を行うように構成される伝送モジュールとを含み、
ここで、前記第１ＴＡ値は、前記端末デバイスが前回のデータ伝送に使用したものである
ことを特徴とする端末デバイス。
【請求項１５】
ネットワーク側デバイスであって、
端末デバイスが第１タイミングアドバンスＴＡ値の再利用の事前設定条件を満たしていると確定する時に前記第１ＴＡ値に基づいて伝送するデータを受信するように構成される受信モジュールを含み、
ここで、前記第１ＴＡ値は、前記端末デバイスが前回のデータ伝送に使用したものである
ことを特徴とするネットワーク側デバイス。
【国際調査報告】
2019531009.tif 000012
2019531009.tif 000013
2019531009.tif 000014
2019531009.tif 000015